(57)【特許請求の範囲】
【請求項１】
厚み方向に薄手であり、電圧の印加によって前記厚み方向に直交する長さ方向に伸縮する振動フィルムと、
前記厚み方向に薄手であり、前記厚み方向に撓む状態で前記長さ方向に前記振動フィルムが張り渡されている振動板部と、を備え、
前記振動板部による引っ張りによって前記振動フィルムに生じる前記長さ方向の応力の大きさが、前記厚み方向および前記長さ方向に直交する幅方向の位置によって異なっている、振動装置。
【請求項２】
厚み方向に薄手であり、電圧の印加によって前記厚み方向に直交する長さ方向に伸縮する振動フィルムと、
前記厚み方向に薄手であり、前記厚み方向に撓む状態で前記長さ方向に前記振動フィルムが張り渡されている振動板部と、を備え、
前記振動フィルムにおける前記振動板部に固定されている固定端間の長さは、前記厚み方向および前記長さ方向に直交する幅方向の位置によって異なっている、振動装置。
【請求項３】
前記振動板部は、前記厚み方向から視て矩形状の外形を有する単一の振動板からなる、請求項１または請求項２に記載の振動装置。
【請求項４】
前記振動板部は、前記幅方向に並ぶ複数の振動板を備え、前記複数の振動板は、それぞれの撓み量が異なっている、請求項１または請求項２に記載の振動装置。
【請求項５】
前記振動板部は、前記幅方向に並ぶ複数の振動板を備え、前記複数の振動板は、それぞれの有する曲げ弾性率が異なっている、請求項１または請求項２あるいは請求項４に記載の振動装置。
【請求項６】
前記振動フィルムは、ポリフッ化ビニリデンを主材料とする、請求項１乃至請求項５のいずれかに記載の振動装置。
【請求項７】
前記圧電フィルムは、キラル高分子を主材料とする、請求項１乃至請求項５のいずれかに記載の振動装置。
【請求項８】
請求項１乃至請求項７のいずれかに記載の振動装置と、
前記振動板部に装着した、タッチ操作を検出するタッチ検出部と、
前記タッチ検出部がタッチ操作を検出したときに、前記圧電フィルムに駆動電圧を印加する駆動部と、を備える、触覚提示装置。
【発明の詳細な説明】
【技術分野】
【０００１】
本発明は、圧電フィルムの駆動により振動板を振動させる振動装置と、該振動装置の振動をタッチ操作に対する触覚フィードバックとして利用者に伝える触覚提示装置と、に関する。
【背景技術】
【０００２】
圧電フィルムの駆動により振動板を振動させる振動装置が、平面型スピーカやハプティクスデバイス（触覚提示装置）で利用されている（例えば、特許文献１参照。）。
【０００３】
図９（Ａ）は、振動装置１０１の側面図であり、図９（Ｂ）は、振動装置１０１の背面図である。振動装置１０１は、圧電フィルム１０２と、振動板１０３と、フレーム部材１０４，１０５とを備える。振動板１０３および圧電フィルム１０２は、それぞれ厚み方向から視て、長さ方向および幅方向に拡がる矩形状である。圧電フィルム１０２は、延伸処理が施されたＰＬＬＡ（Ｌ型ポリ乳酸）フィルムから、延伸方向に対する４５°方向を長さ方向として切り出されたものである。圧電フィルム１０２は、このように切り出されることで、電圧の印加に伴い長さ方向の伸びや縮みが生じる。フレーム部材１０４，１０５は、圧電フィルム１０２の長さ方向の両端に設けられている。振動板１０３は、幅方向から視て長さ方向の両端付近から中央付近にかけて除々に圧電フィルム１０２までの距離が離れるように曲がる状態でフレーム部材１０４，１０５を介して圧電フィルム１０２に連結されている。このため、圧電フィルム１０２は、フレーム部材１０４，１０５を介して振動板１０３から長さ方向の外側に引っ張られている。このような振動装置１０１において、圧電フィルム１０２に交番電界を印加すると、圧電フィルム１０２に長さ方向の伸縮が生じ、これに伴い、振動板１０３には厚み方向の撓み振動が引き起こされる。
【先行技術文献】
【特許文献】
【０００４】
【特許文献１】国際公開２０１２／１５７６９１号パンフレット
【発明の概要】
【発明が解決しようとする課題】
【０００５】
図９に示した振動装置において、圧電フィルムは伸縮方向での寸法や物性等によって定まる共振周波数（固有振動数）を有している。そして、該振動装置は、圧電フィルムの共振周波数に近い駆動周波数で振動させることにより、圧電フィルムを高効率に振動させることができる。しかしながら、従来の振動装置では、圧電フィルムの振動が高効率に得られる駆動周波数の帯域が狭く、振動板に他の物体が接触するなどの状況の変化や、熱変形などの状態の変化があると共振周波数が変動して、振動を高効率に得ることが難しくなるという課題があった。
【０００６】
そこで本発明の目的は、振動が高効率に得られる駆動周波数の帯域を従来よりも広げられる振動装置および触覚提示装置を提供することにある。
【課題を解決するための手段】
【０００７】
この発明の振動装置は、厚み方向に薄手であり、電圧の印加によって前記厚み方向に直交する長さ方向に伸縮する振動フィルムと、前記厚み方向に薄手であり、前記厚み方向に撓む状態で前記長さ方向に前記振動フィルムが張り渡されている振動板部と、を備え、前記振動板部による引っ張りによって前記振動フィルムに生じる前記長さ方向の応力の大きさが、前記厚み方向および前記長さ方向に直交する幅方向の位置によって異なっている。
【０００８】
または、この発明の振動装置は、厚み方向に薄手であり、電圧の印加によって前記厚み方向に直交する長さ方向に伸縮する振動フィルムと、前記厚み方向に薄手であり、前記厚み方向に撓む状態で前記長さ方向に前記振動フィルムが張り渡されている振動板部と、を備え、前記振動フィルムにおける前記振動板部に固定されている固定端間の長さは、前記厚み方向および前記長さ方向に直交する幅方向の位置によって異なっている。
【０００９】
これらの構成では、圧電フィルムが長さ方向に振動すると、振動板部が厚み方向に撓むように振動する。そして、このような振動を振動装置に生じさせる振動フィルムの共振周波数は、振動板部からの引っ張りによって振動フィルムに生じる応力や、振動フィルムにおける固定端間の長さの影響を受ける。このため、振動装置の幅方向の位置によって該応力や長さを異ならせることで、振動フィルムに複数の共振周波数を設定することができる。したがって、振動装置の駆動周波数を振動フィルムのいずれかの共振周波数に合わせることで、振動フィルムに効率的に共振する領域と共振から外れる領域が発生する。すると、熱による影響や経年劣化によって共振条件が変わってしまった場合に、当初とは別の領域が効率的に共振するように設定することができるため、装置全体として共振が生じる周波数帯域を広帯域化させられる。
【００１０】
また、圧電フィルムにおける固定端間の長さが幅方向の位置によって異なる場合には、前記振動板部は、前記厚み方向から視て矩形状の外形を有する振動板からなるとよい。これにより、振動装置の構造的な安定性の向上や、製造の容易化などを図ることができる。
【００１１】
前記振動板部は、前記幅方向に並ぶ複数の振動板を備え、前記複数の振動板は、それぞれの撓み量が異なっていると好適である。このようにすることで、張力の大きさを幅方向の位置によって異ならせることが容易になる。
【００１２】
前記振動板部は、前記幅方向に並ぶ複数の振動板を備え、前記複数の振動板は、それぞれの有する曲げ弾性率が異なっていると好適である。このようにしても、張力の大きさを幅方向の位置によって異ならせることが容易になる。
【００１３】
そして、振動板部が複数の振動板からなることで、圧電フィルムの主面を全面的に略平坦にでき、圧電フィルムが裂けるような故障が発生し難くできる。
【００１４】
また、この発明の触覚提示装置は、前記振動装置と、前記振動板に装着した、タッチ操作を検出するタッチ検出部と、前記タッチ検出部がタッチ操作を検出したときに、前記圧電フィルムに駆動電圧を印加する駆動部と、を備えている。
【００１５】
このような構成の触覚提示装置は、振動装置において高効率な振動が得られる駆動周波数の帯域が広いので、タッチ操作によって共振周波数の変動が生じるような場合でも高効率な振動を得ることが容易である。
【発明の効果】
【００１６】
本発明によれば、振動装置や触覚提示装置において、高効率な振動が得られる駆動周波数の帯域を従来よりも広げられる。
【図面の簡単な説明】
【００１７】
【図１】第１の実施形態に係る触覚提示装置の斜視図である。
【図２】第１の実施形態に係る振動装置の側面図および背面図である。
【図３】第２の実施形態に係る振動装置の側面図および背面図である。
【図４】第３の実施形態に係る振動装置の側面図および背面図である。
【図５】第４の実施形態に係る振動装置の側面図および背面図である。
【図６】第５の実施形態に係る振動装置の側面図および背面図である。
【図７】第６の実施形態に係る振動装置の側面図および背面図である。
【図８】第７の実施形態に係る振動装置の側面図および背面図である。
【図９】従来構成に係る振動装置の側面図および背面図である
【発明を実施するための形態】
【００１８】
以下、図を参照して幾つかの具体的な例を挙げて、本発明を実施するための複数の形態を示す。各実施形態は例示であり、異なる実施形態で示した構成の部分的な置換または組み合わせが可能であることは言うまでもない。
【００１９】
以下の説明では、圧電フィルムに振動が生じる方向を長さ方向とする。また、圧電フィルムの主面において長さ方向に直交する方向を幅方向とする。また、圧電フィルムの主面に直交する方向を厚み方向とする。
【００２０】
図１は、本発明の第１の実施形態に係る触覚提示装置１０の斜視図である。触覚提示装置１０は、いわゆるキーボードを構成している。該触覚提示装置１０は、制御部１１、駆動部１２、振動装置２０、およびタッチパネル３０を備えている。
【００２１】
振動装置２０とタッチパネル３０とは、それぞれ厚み方向に薄手であり、互いに厚み方向に積層されている。タッチパネル３０は、振動装置２０に対して厚み方向の正面側に配置されている。タッチパネル３０は、触覚提示装置１０の正面に露出する複数のタッチセンサ３１を備えている。複数のタッチセンサ３１は、キーボードのキー配列に対応する位置に配している。各タッチセンサ３１は、ユーザによるタッチ操作を検出すると検出信号を制御部１１に出力する。タッチセンサ３１および制御部１１は、特許請求の範囲に記載のタッチ検出部を構成している。
【００２２】
制御部１１は、いずれかのタッチセンサ３１から検出信号が入力されると、駆動部１２に制御信号を出力する。駆動部１２は、制御部１１から制御信号が入力されると、振動装置２０に駆動電圧を出力する。
【００２３】
振動装置２０は、振動板２１と振動フィルム２２とを備えている。振動板２１は、振動フィルム２２に対して厚み方向の正面側に配置されている。振動板２１は、厚み方向から視て矩形状であり、長さ方向に沿う短辺と幅方向に沿う長辺とを有している。また、振動板２１は、幅方向から視て、厚み方向の正面側に凸、厚み方向の背面側に凹に湾曲している。タッチパネル３０は、接着剤等を介して振動板２１の正面に接合されている。振動板２１が湾曲する平板状であるので、タッチパネル３０は振動板２１と同様に湾曲する形状となっている。
【００２４】
振動フィルム２２は、振動板２１に対して厚み方向の背面側に配置されている。振動フィルム２２は、振動板２１の凹状に湾曲する背面に対して、長さ方向の両端付近を固定端として連結しており、固定端間が略平坦な状態で、振動板２１の背面側に張り渡している。この振動フィルム２２は、振動装置２０から駆動電圧が印加されることで長さ方向に伸び縮みするように振動する。これにより、振動板２１およびタッチパネル３０は、厚み方向の撓み量が変化するように振動する。このようにして触覚提示装置１０は、タッチセンサ３１をタッチ操作するユーザに対して、振動装置２０の振動を触覚フィードバックとして提示する。
【００２５】
図２（Ａ）は、振動装置２０を幅方向から視た側面図であり、図２（Ｂ）は振動装置２０を厚み方向から視た背面図である。なお、図２（Ａ）においては、説明のために振動板２１の湾曲を誇張して表現しており、実際には、振動板２１はより平坦にするほうが望ましい。
【００２６】
振動板２１は、特許請求の範囲に記載の振動板部に相当している。振動板２１は、弾性変形可能な材料、例えばアクリル樹脂ＰＭＭＡで構成している。なお、振動板２１は、金属板、ＰＥＴ、ポリカーボネイト（ＰＣ）、ＰＬＬＡ、ガラス等の他の材料を用いてもよい。
【００２７】
振動フィルム２２は、有機圧電フィルムや、電歪フィルム、エレクトレットフィルム、圧電セラミックス等の粒子を高分子に分散させたコンポジットフィルム、電気活性高分子フィルムなどで構成される。ここでは振動フィルム２２は、有機圧電フィルムの両主面それぞれの全面に図示しない電極を設けて構成している。有機圧電フィルムは、例えばキラル高分子であるＬ型ポリ乳酸（ＰＬＬＡ）や、ポリフッ化ビニリデン（ＰＶＤＦ）で構成することができる。ＰＬＬＡで構成される場合には、図２（Ｂ）に白抜きの矢印で示す主延伸方向に延伸処理が施されたフィルムから、主延伸方向に対して略４５°の方向を長さ方向として振動フィルム２２を切り出すことで、振動フィルム２２に、長さ方向に伸び縮みするような圧電性を持たせることができる。
【００２８】
また、図２（Ｂ）に示すように、振動フィルム２２は厚み方向から視て央部２３と複数の端部２４，２５とを備えている。央部２３は、振動フィルム２２の長さ方向の中央部分を占める領域である。央部２３は、厚み方向から視て概略矩形状であり、長さ方向に延びる２つの短辺と幅方向に延びる２つの長辺とを有している。複数の端部２４，２５は、央部２３の２つの長辺それぞれから長さ方向に突出するように設けている。端部２４と端部２５とは、央部２３の長辺から突出する長さが異なっており、端部２４のほうが端部２５よりも長くなっている。また、ここでは、端部２４と端部２５とは、長さ方向に直交する断面の形状および面積がほとんど同じになるように設定されている。また、端部２４と端部２５とは、幅方向に交互に配列されている。端部２４と端部２５との幅方向での間には、切れ込み２６が設けられている。端部２４が設けられている幅方向の位置は、央部２３の２つの長辺それぞれで一致している。また、端部２５が設けられている幅方向の位置も、央部２３の２つの長辺それぞれで一致している。
【００２９】
また、図２（Ａ）に示すように、振動フィルム２２は、幅方向から視て正面を凸に背面を凹に湾曲させた状態の振動板２１の背面に、長さ方向の先端部分を固定端２７として固定することにより、張り渡している。より具体的には、振動フィルム２２において央部２３のみが厚み方向に対して直交している。端部２４は、端部２５を振動板２１に連結している位置よりも、長さ方向の外側の位置で振動板２１に連結しており、幅方向から視て固定端２７が央部２３よりも背面側に位置するように傾斜した状態となっている。端部２５は、端部２４を振動板２１に連結している位置よりも、長さ方向の内側の位置で振動板２１に連結しており、幅方向から視て固定端２７が央部２３よりも正面側に位置するように傾斜する状態となっている。
【００３０】
このような構成の振動装置２０は、幅方向の位置によって振動フィルム２２における固定端２７間の長さが異なっている。したがって、振動装置２０は、端部２４が設けられている位置と、端部２５が設けられている位置とで、共振周波数が異なっている。したがって、振動装置２０において、これらの共振周波数を比較的近接するように設定すると、高効率な振動が得られる駆動周波数の帯域を従来よりも広げることができる。即ち、触覚提示装置１０において、タッチパネル３０へのタッチ操作の状況や、経時的な部材の劣化、温度変化による部材の変形等により共振周波数の変動が生じるような場合でも、当初とは異なる領域で高効率に振動を得ることができる。
【００３１】
また、振動装置２０は、製造時に、振動板２１を撓ませた状態で治具によって保持し、振動フィルム２２を振動板２１の背面に貼り付け、振動板２１と振動フィルム２２とが強固に接合してから治具を外すようにして製造する。このようにして製造された振動装置２０では、湾曲した状態の振動板２１が平坦な形状に戻ろうとして、振動フィルム２２には長さ方向の外側に向けて振動板２１から張力が伝わる。この張力の大きさは、振動フィルム２２を振動板２１に貼り付ける際に、振動フィルム２２に張力をかけておくことで調整することができる。即ち、端部２４が設けられている位置と、端部２５が設けられている位置とで、振動板２１への貼り付け時の張力を調整することで、振動板２１への貼り付け後に生じる張力を調整することができる。
【００３２】
また、振動フィルム２２に張力をかけずに振動フィルム２２を振動板２１に貼り付ける場合には、振動フィルム２２が振動板２１に連結される長さ方向の位置が幅方向で異なるために、振動板２１から振動フィルム２２に伝わる張力も幅方向の位置によって異なるものになる。
【００３３】
このように、振動フィルム２２の長さ方向に作用する張力が幅方向の位置によって異なり、かつ、端部２４と端部２５とで長さ方向に直交する断面の形状および面積がほぼ同じであることにより、振動フィルム２２に生じる長さ方向の応力は幅方向の位置によって異なるものになる。
【００３４】
このように振動装置２０において、幅方向の位置によって振動フィルム２２に生じる長さ方向の応力が異なることによっても、端部２４が設けられている位置と、端部２５が設けられている位置とで共振周波数が異なるものになる。したがって、振動装置２０において、張力の調整によっても、高効率な振動が得られる駆動周波数の帯域を従来よりも広げることができる。即ち、触覚提示装置１０において、タッチパネル３０へのタッチ操作の状況や、経時的な部材の劣化、温度変化による部材の変形等により共振周波数の変動が生じても、高効率な振動を得やすくなる。
【００３５】
また、この振動装置２０では、振動板２１が、厚み方向から視て矩形状の外形を有する単一の板として構成されている。このため、振動板２１は加工が容易であり、また、製造時に振動板２１を湾曲させた状態で保持する治具等を簡易な構成とすることができる。したがって、振動装置２０および触覚提示装置１０の製造を容易化することができる。また、振動装置２０および触覚提示装置１０の部材数、特に可動部材数を抑制でき、経時的な故障等を抑制でき構造的な安定性が向上する。
【００３６】
なお、本実施形態においては、振動装置２０に単一の振動フィルム２２のみを設けるようにしたが、振動フィルム２２を幅方向に並ぶ複数の振動フィルムに分割するように構成してもよい。
【００３７】
また、本実施形態においては、端部２４と端部２５とで幅方向の寸法を同じにしている。しかしながら、端部２４と端部２５とで幅方向の寸法を異ならせてもよい。端部２４と端部２５とで幅方向の寸法を異ならせることによって、仮に端部２４と端部２５とで長さ方向の寸法が同じであっても、また、端部２４や端部２５に作用する張力が同じであっても、振動フィルムに生じる長さ方向の応力を幅方向で異ならせることができる。
【００３８】
また、本実施形態においては、端部２４と端部２５とで長さ方向の寸法を異ならせるようにしたが、端部２４と端部２５とで長さ方向の寸法が同じであってもよい。その場合には、製造時に、張力を調整して振動フィルムにかけて、その張力をかけた状態のまま振動フィルムを振動板に貼り付けることで、製造後の振動フィルムに生じる長さ方向の応力を幅方向で異ならせることができる。
【００３９】
また、本実施形態においては、振動フィルムの長さ方向の寸法と長さ方向の応力との双方を幅方向の位置によって異ならせる例を示したが、本発明は、振動フィルムの長さ方向の寸法、または、振動フィルムに生じる長さ方向の応力のいずれか一方のみを、幅方向の位置によって異ならせるようにしてもよい。いずれの場合でも、振動フィルムが幅方向の位置によって異なる共振周波数を持つことになるので、効率的に振動が生じる駆動周波数の広帯域化を実現することができる。
【００４０】
次に、本発明の第２の実施形態に係る振動装置について説明する。
【００４１】
図３（Ａ）は、第２の実施形態に係る振動装置２０Ａの側面図であり、図３（Ｂ）は、第２の実施形態に係る振動装置２０Ａの背面図である。
【００４２】
振動装置２０Ａは、振動板２１と振動フィルム２２Ａとを備えている。振動フィルム２２Ａは、図３（Ｂ）に示すように、厚み方向から視て複数の端部２４Ａを備えている。複数の端部２４Ａは、幅方向に並べて配列しており、それぞれ振動フィルム２２Ａの長辺から長さ方向に突出するように設けている。複数の端部２４Ａは、幅方向の両端付近に近いほど長さ方向の外側に位置するようにし、幅方向の中央付近に近いほど長さ方向の内側に位置するように配置している。
【００４３】
そして、図３（Ａ）に示すように、振動フィルム２２Ａは、幅方向から視て正面を凸に背面を凹に湾曲させた状態の振動板２１の背面に、端部２４Ａの長さ方向の先端を固定端２７として連結することにより、振動板２１に張り渡している。
【００４４】
このようにして振動装置２０Ａにおいては、振動フィルム２２Ａの長さ方向の寸法を、幅方向の両端付近に近いほど長く、幅方向の中央付近に近いほど短くなるように段階的に変化させている。また、振動フィルム２２Ａには長さ方向の外側に向けて振動板２１から張力が伝わり、この張力も、幅方向の両端付近から幅方向の中央付近にかけて、段階的に変化するように設定している。これにより、振動装置２０Ａは、より多くの段階的な周波数差を有する複数の共振周波数を持つことになり、高効率な振動が得られる駆動周波数の帯域をより広げることができる。
【００４５】
次に、本発明の第３の実施形態に係る振動装置について説明する。
【００４６】
図４（Ａ）は、第３の実施形態に係る振動装置２０Ｂの側面図であり、図４（Ｂ）は、第３の実施形態に係る振動装置２０Ｂの背面図である。
【００４７】
振動装置２０Ｂは、振動板２１と振動フィルム２２Ｂとを備えている。振動フィルム２２Ｂは、図４（Ｂ）に示すように厚み方向からみて矩形の外形状を有している。この振動フィルム２２Ｂは、長さ方向の端部に設けた固定端２７Ｂにより振動板２１に固定している。そして、固定端２７Ｂの長さ方向の寸法を、幅方向の両端付近ほど短くし、幅方向の中央付近ほど長くなるように連続的に変化させている。  そして、図４（Ａ）に示すように、振動フィルム２２Ｂは、幅方向から視て正面を凸に背面を凹に湾曲させた状態の振動板２１の背面に、固定端２７Ｂを介して連結することにより、振動板２１に張り渡している。
【００４８】
このようにして振動装置２０Ｂにおいては、振動フィルム２２Ｂの固定端２７Ｂ間の長さを、幅方向の両端付近ほど長く、幅方向の中央付近ほど短くなるように連続的に変化させている。また、振動フィルム２２Ｂには長さ方向の外側に向けて振動板２１から張力が伝わり、この張力も、幅方向の両端付近から幅方向の中央付近にかけて、連続的に変化するように設定している。これにより、振動装置２０Ｂは広帯域に拡がる共振周波数を有することになり、高効率な振動が得られる駆動周波数の帯域をより広げることができる。
【００４９】
次に、本発明の第４の実施形態に係る振動装置について説明する。
【００５０】
図５（Ａ）は、第４の実施形態に係る振動装置２０Ｃの側面図であり、図５（Ｂ）は、第４の実施形態に係る振動装置２０Ｃの背面図である。
【００５１】
振動装置２０Ｃは、複数の振動板２１Ｃ，２２Ｃと振動フィルム２３Ｃとを備えている。複数の振動板２１Ｃ，２２Ｃは、特許請求の範囲に記載の振動板部を構成している。振動フィルム２３Ｃは、図５（Ｂ）に示すように厚み方向からみて全体として矩形の外形状を有している。一方、複数の振動板２１Ｃ，２２Ｃは、それぞれ同じ曲げ弾性率の材料からなり、それぞれが湾曲して延びる長さ方向の寸法が異なっている。具体的には、振動板２１Ｃは長さ方向の寸法がより長く、振動板２２Ｃは長さ方向の寸法がより短い。これにより、振動板２１Ｃと振動板２２Ｃとは、それぞれ厚み方向の撓み量が異なるように振動フィルム２３Ｃに連結され、振動板２１Ｃは撓み量がより大きく、振動板２２Ｃは撓み量がより小さくなっている。
【００５２】
図５（Ａ）に示すように、振動フィルム２３Ｃは、幅方向から視て正面を凸に背面を凹に湾曲させた状態の振動板２１Ｃおよび振動板２２Ｃの背面に連結することにより、振動板２１Ｃ，２２Ｃに張り渡している。したがって、振動フィルム２３Ｃには長さ方向の外側に向けて、振動板２１Ｃ，２２Ｃのそれぞれから張力が伝わる。そして、この張力は、振動板２１Ｃから伝わる張力がより大きく、振動板２２Ｃから伝わる張力がより小さくなっている。これにより、振動装置２０Ｃは複数の共振周波数を有することになり、高効率な振動が得られる駆動周波数の帯域をより広げることができる。
【００５３】
次に、本発明の第５の実施形態に係る振動装置について説明する。
【００５４】
図６（Ａ）は、第５の実施形態に係る振動装置２０Ｄの側面図であり、図６（Ｂ）は、第５の実施形態に係る振動装置２０Ｄの背面図である。
【００５５】
ここで示す振動装置２０Ｄは、複数の振動板２１Ｄ，２２Ｄと振動フィルム２３Ｄとを備えている。複数の振動板２１Ｄ，２２Ｄは、特許請求の範囲に記載の振動板部を構成している。複数の振動板２１Ｄ，２２Ｄは、それぞれの長さ方向の寸法が同じであり、また、振動フィルム２３Ｄと連結した状態での厚み方向の撓み量もそれぞれ同じであるが、それぞれを構成する材料の曲げ弾性率が異なっている。振動板２１Ｄの曲げ弾性率は大きく、振動板２２Ｄの曲げ弾性率は小さい。この場合にも、振動フィルム２３Ｄに伝わる張力は、振動板２１Ｄから伝わる張力がより大きく、振動板２２Ｄから伝わる張力がより小さくなっている。このようにしても、振動装置２０Ｄは複数の共振周波数を有することになり、高効率な振動が得られる駆動周波数の帯域をより広げることができる。
【００５６】
次に、本発明の第６の実施形態に係る振動装置について説明する。
【００５７】
図７（Ａ）は、第６の実施形態に係る振動装置２０Ｅの側面図であり、図７（Ｂ）は、第６の実施形態に係る振動装置２０Ｅの背面図である。
【００５８】
ここで示す振動装置２０Ｅは、複数の振動板２１Ｅ，２２Ｅと振動フィルム２３Ｅとを備えている。複数の振動板２１Ｅ，２２Ｅは、特許請求の範囲に記載の振動板部を構成している。振動フィルム２３Ｅは、長さ方向の寸法が長い領域と長さ方向の寸法が短い領域とが幅方向に並ぶように、長辺に段差が付いた形状となっている。そして、複数の振動板２１Ｅ，２２Ｅは、振動フィルム２３Ｅの長さ方向の寸法が異なる領域にそれぞれ連結されている。複数の振動板２１Ｅ，２２Ｅは、それぞれの長さ方向の寸法が同じであり、また、それぞれの曲げ弾性率が同じであるが、連結される振動フィルム２３Ｅの長さ方向の寸法が異なるために、それぞれの厚み方向の撓み量が異なっている。この場合にも、振動フィルム２３Ｅに伝わる張力は、振動板２１Ｅから伝わる張力がより大きく、振動板２２Ｅから伝わる張力がより小さくなっている。このようにしても、振動装置２０Ｅは複数の共振周波数を有することになり、高効率な振動が得られる駆動周波数の帯域をより広げることができる。
【００５９】
なお、第４乃至第６の実施形態に示したように複数の振動板を設ける場合には、振動フィルムの主面を略平坦にすることができ、振動フィルムが裂けるような故障を発生し難くすることができる。
【００６０】
次に、本発明の第７の実施形態に係る振動装置について説明する。
【００６１】
図８（Ａ）は、第７の実施形態に係る振動装置２０Ｆの側面図であり、図８（Ｂ）は、第７の実施形態に係る振動装置２０Ｆの背面図である。
【００６２】
ここで示す振動装置２０Ｆは、単一の振動板２１Ｆと複数の振動フィルム２２Ｆ，２３Ｆとを備えている。振動フィルム２２Ｆは、長さ方向の寸法が振動フィルム２３Ｆよりも長い。言い換えると、振動フィルム２３Ｆは、長さ方向の寸法が振動フィルム２２Ｆよりも短い。振動フィルム２２Ｆと振動フィルム２３Ｆとは幅方向に交互に並んでいる。そして、振動フィルム２２Ｆと振動フィルム２３Ｆとは、それぞれ振動板２１Ｆに対して長さ方向の異なる位置に連結されている。この場合にも、振動フィルム２２Ｆに伝わる張力は、振動板２３Ｆに伝わる張力より大きくなっている。このようにしても、振動装置２０Ｅは複数の共振周波数を有することになり、高効率な振動が得られる駆動周波数の帯域をより広げることができる。
【００６３】
以上に説明したように本発明は実施することができるが、本発明は、特許請求の範囲に記載に該当する構成であれば、上記の他の構成であっても実施することができる。例えば、本発明の振動装置は、触覚提示装置ではない他の装置、例えば平面型スピーカなどに利用してもよい。また、振動フィルムは、振動板に対して直接接続するほかにも、フレーム部材のような他の部材を介して振動板に間接的に接続するようにしてもよい。また、ポリフッ化ビニリデンやキラル高分子を主材料とするフィルムを別のフィルムに貼り付けて、その貼り付けたフィルムを介して振動板に間接的に接続するようにしてもよい。
【符号の説明】
【００６４】
１０…触覚提示装置
１１…制御部
１２…駆動部
２０，２０Ａ，２０Ｂ，２０Ｃ，２０Ｄ，２０Ｅ…振動装置
２１，２１Ｃ，２２Ｃ，２１Ｄ，２２Ｄ，２１Ｅ，２２Ｅ…振動板
２２，２２Ａ，２２Ｂ，２３Ｃ，２３Ｄ，２３Ｅ…振動フィルム
２３…央部
２４，２５，２４Ａ…端部
２６…切れ込み
２７，２７Ｂ…固定端
３０…タッチパネル
３１…タッチセンサ
【図１】
0006365164.tif 000002
【図２】
0006365164.tif 000003
【図３】
0006365164.tif 000004
【図４】
0006365164.tif 000005
【図５】
0006365164.tif 000006
【図６】
0006365164.tif 000007
【図７】
0006365164.tif 000008
【図８】
0006365164.tif 000009
【図９】
0006365164.tif 000010